(57)【要約】      （修正有）【課題】画像のスクロール表示の指示の操作性を向上させる。【解決手段】画像閲覧装置１は、画像表示用の表示面１３を有する表示部３と、第１および第２操作領域１５，１６を含む座標入力用の操作面１４を有する操作部４と、第１および第２操作領域１５，１６に跨る軌跡の操作面１４内の入力位置と画像のスクロール量との対応関係を示すスクロールパターン２２を記憶する記憶部５とを含む。第１操作領域１５が、表示面１３と重なっている。利用者による操作に応答して軌跡を示す複数の座標が操作部４から入力された場合、該軌跡の入力位置および該軌跡の描画方向とスクロールパターンとに基づいて、画像のスクロール量およびスクロール方向が算出される。表示部３は、算出された最新のスクロール方向に最新のスクロール量だけ、表示面１３の画像をスクロール表示させる。【選択図】図１
2013190944.tif 000002
【特許請求の範囲】
【請求項１】
画像を表示する表示面を有する表示部と、
座標を入力するための操作面であって、前記表示面に重なる第１操作領域および前記第１操作領域外の第２操作領域を含む操作面を有する操作部と、
第１操作領域および第２操作領域のいずれか一方の操作領域内の位置から前記第１操作領域および第２操作領域のいずれか他方の操作領域内の位置へ至る軌跡の前記操作面内の入力位置と、前記表示部の表示面に表示される画像のスクロール量との対応関係を示すスクロールパターンを記憶する記憶部と、
前記軌跡を示す複数の座標が前記操作部から入力されたとき、入力された座標が示す軌跡の前記操作面内の入力位置と、前記記憶部内の前記スクロールパターンとに基づいて、画像のスクロール量を算出するスクロール量算出部と、
前記スクロール量算出部が算出したスクロール量に応じて、画像を前記表示部にスクロール表示させるスクロール処理部とを含むことを特徴とする画像閲覧装置。
【請求項２】
前記記憶部が、複数種類の前記スクロールパターンを記憶し、
前記スクロール量算出部が、複数種類の前記スクロールパターンのうちのいずれか１種類のスクロールパターンを選択し、選択された前記スクロールパターンに基づいてスクロール量を算出することを特徴とする請求項１記載の画像閲覧装置。
【請求項３】
前記記憶部が、複数種類の前記スクロールパターンを、装置の動作状態にそれぞれ対応付けて記憶し、
前記スクロール量算出部が、複数種類の前記スクロールパターンのうちのいずれか１種類のスクロールパターンを装置の現在の動作状態に応じて選択し、選択された前記スクロールパターンに基づいてスクロール量を算出することを特徴とする請求項１記載の画像閲覧装置。
【請求項４】
前記スクロールパターンと装置の動作状態との対応付けを前記操作部からの入力に応じて決定して、前記記憶部に記憶させる対応付け決定部をさらに含むことを特徴とする請求項３記載の画像閲覧装置。
【請求項５】
前記スクロール算出部が、前記操作部からの入力に応じて前記スクロールパターンを新規作成して、前記記憶部に記憶させることを特徴とする請求項１〜請求項４のいずれか１項記載の画像閲覧装置。
【請求項６】
前記表示部の表示面が、スクロール表示すべき画像を表示する主表示領域と、主表示領域以外の残余領域である副表示領域とを含み、
前記操作部の操作面の第１操作領域が、前記表示面の主表示領域と重なって配置され、
前記操作部の操作面の第２操作領域が、前記操作面内の前記第１操作領域以外の残余領域内に設けられることを特徴とする請求項１〜請求項５のいずれか１項記載の画像閲覧装置。
【請求項７】
前記スクロールパターンが、前記操作面内の装置側端側に設けられる予め定める基準位置よりも前記操作部から入力される軌跡の入力位置が遠ざかるほど画像のスクロール量が増大するパターンであることを特徴とする請求項１〜請求項６のいずれか１項記載の画像閲覧装置。
【請求項８】
画像を表示する表示面を有する表示部と、座標を入力するための操作面を有する操作部とを備える画像閲覧装置において、画像をスクロール表示するための画像閲覧方法であって、
前記操作部の操作面内に、前記表示面に重なる第１操作領域と、前記第１操作領域外の第２操作領域とが設定され、
前記第１操作領域および第２操作領域のいずれか一方の操作領域内の位置から前記第１操作領域および第２操作領域のいずれか他方の操作領域内の位置へ至る軌跡の前記操作面内の入力位置と前記表示面に表示される画像のスクロール量との対応関係を示すスクロールパターンを予め記憶し、
前記軌跡を示す複数の座標が前記操作部から入力されたとき、入力された座標が示す軌跡の前記操作部内の入力位置と、前記記憶部内の前記スクロールパターンとに基づいて、画像のスクロール量を算出し、
算出されたスクロール量に応じて、前記表示部に画像をスクロール表示させることを含むことを特徴とする画像閲覧方法。
【請求項９】
画像を表示する表示面を有する表示部と、座標を入力するための操作面を有する操作部とを備えるコンピュータを機能させるための画像閲覧プログラムであって、
前記操作部の操作面内に、前記表示面と重なる第１操作領域と、前記第１操作領域外の第２操作領域とを設定するステップと、
前記第１操作領域および第２操作領域のいずれか一方の操作領域内の位置から前記第１操作領域および第２操作領域のいずれか他方の操作領域内の位置へ至る軌跡の前記操作面内の入力位置と前記表示面に表示される画像のスクロール量との対応関係を示すスクロールパターンを予め記憶するステップと、
前記軌跡を示す複数の座標が前記操作部から入力されたとき、入力された座標が示す軌跡の前記操作部内の入力位置と前記記憶部内の前記スクロールパターンとに基づいて、画像のスクロール量を算出するステップと、
算出されたスクロール量に応じて、前記表示部に画像をスクロール表示させるステップとを含むことを特徴とする画像閲覧プログラム。
【発明の詳細な説明】
【技術分野】
【０００１】
本発明は、画像のスクロール表示が可能な表示部とタッチパネルなどの座標入力が可能な操作部とを備える画像閲覧装置、画像閲覧方法および画像閲覧プログラムに関する。
【背景技術】
【０００２】
従来、スマートホンなどと呼ばれる携帯電話端末は、通信を行う通信装置としてだけでなく、画像を閲覧するための画像閲覧装置としての機能を有する。携帯電話端末などによって実現される画像閲覧装置は、画像のスクロール表示が可能な表示部と、タッチパネルなどの座標入力が可能な操作部とを備え、操作部の操作面が表示部の表示面に重なる構成を有する。このような構成の携帯電話端末は、操作部に対する利用者の操作に応答して、表示部の表示面に表示中の画像をスクロール表示させることができる。
【０００３】
従来技術の画像閲覧装置において、表示部の表示面に表示中の画像をスクロール表示させるべき状況下では、表示面と重なる操作面に対して、利用者が上向きまたは下向きのフリック操作を行う。フリック操作とは、指またはペンなどの指示具を利用者が操作面に接触させ、該指示具を操作面に接触させたまま操作面上で滑らせる操作である。操作面に対して上向きのフリック操作がなされたとき、表示部に表示中の画像が上向きにスクロール表示される。また操作面に対して下向きのフリック操作がなされたとき、表示部に表示中の画像が下向きにスクロール表示される。
【０００４】
従来技術の画像閲覧装置は、スクロール表示を指示するために単一回のフリック操作がなされた場合、たとえば、予め定めるスクロール量だけ、画像をスクロール表示させる。単一回分のスクロール量以上に画像をスクロール表示させるべき状況下では、利用者は、フリック操作を複数回繰り返し、画像閲覧装置に所定のスクロール量のスクロール表示を複数回実行させる。また、従来技術の画像閲覧装置は、フリック操作時の指示具の移動速度、またはフリック操作で描かれる軌跡の開始座標から終了座標までの距離に応じて、画像のスクロール量を変化させることもある。
【０００５】
座標入力が可能な操作部を用いた画像閲覧装置に関する従来技術として、下記の特許文献１〜特許文献３が挙げられる。
【先行技術文献】
【特許文献】
【０００６】
【特許文献１】特開２００９−３０１５０９号公報
【特許文献２】特開２０１０−２８７１２１号公報
【特許文献３】特表２００９−５４０４７１号公報
【発明の概要】
【発明が解決しようとする課題】
【０００７】
特許文献１は、画像のスクロール表示が可能な表示手段と座標入力が可能な操作部であるタッチパネルとを備えた情報処理装置において、スクロールモードの変更およびスクロール量の変更に関する技術を開示している。特許文献１の情報処理装置において、表示手段の表示領域にタッチパネルの一部分が重ねられ、かつ、表示領域以外の専用領域にタッチパネルの残余の部分が重ねられる。タッチパネルは、指示具であるスタイラスペンによるタッチパネルへのタッチ入力に応答して、スタイラスペンがタッチパネルに接触している位置の座標を出力する。
【０００８】
表示領域は、表示手段によって画像をスクロール表示するための領域であり、スクロール表示すべき画像の他に、スクロール表示を指示するためのスクロールバーが表示される。専用領域は、スクロール表示の指示用の領域であり、スクロールバーよりも大きく設定され、予め定める複数の区画が内部に設けられる。専用領域内の複数の区画は、スクロール表示の指示の他に、情報処理装置で実行されるアプリケーションの起動指示にも用いられる。
【０００９】
特許文献１の情報処理装置において、画像のスクロール表示の指示のためのモードとして、モード１とモード２とが設定されている。モード１選択時には、表示領域のスクロールバーを操作するためのタッチ入力に応答し、該スクロールバー内におけるスタイラスペンの位置の移動量などに応じて、スクロール量が定められる。モード２選択時には、専用領域の複数の区画に対するタッチ入力に応答し、専用領域内におけるスタイラスペンの位置の移動量に応じて、スクロール量が定められる。具体的には、モード２選択時には、専用領域内におけるスタイラスペンの移動開始時の位置から移動終了時の位置までの距離に応じて、スクロール量が定められる。
【００１０】
情報処理装置の起動時には、画像のスクロール表示の２つのモードのうち、モード１が設定されている。スタイラスペンが専用領域内のいずれか１区画内にペンダウンした後、スタイラスペンの位置が該いずれか１区画内に所定時間経過後も留まる場合、スクロール量に関するモードがモード１からモード２に切換えられる。モード２への切換え後、スタイラスペンが専用領域に接したままスタイラスペンの位置が専用領域内のいずれか１区画の内側から該いずれか１区画の外側に移動した場合、専用領域内のスタイラスペンの位置の移動量に応じたスクロール量だけ、表示領域の画像がスクロール表示される。モード２による画像のスクロール表示は、モード２への切換え後、専用領域に対するスタイラスペンによるタッチ入力が連続する間、継続される。専用領域に対するスタイラスペンによるタッチ入力が無くなると、スクロール表示が終了し、スクロール量に対するモードがモード２からモード１へ戻される。この結果、特許文献１の情報処理装置は、スクロールバーよりも比較的大きい専用領域を用いて、画像のスクロール表示の操作が可能になる。
【００１１】
特許文献２は、画像のスクロール表示が可能な表示装置と座標入力が可能な操作部であるタッチパネルとを備えた情報処理装置において、スクロール量の変更に関する技術を開示している。特許文献２の情報処理装置において、表示装置の画面にタッチパネルが重ねられる。スクロール表示すべき画像は、スクロールバーと共に、表示装置の画面に表示される。
【００１２】
特許文献２の情報処理装置のタッチパネルは、いわゆるシングルタッチ操作だけでなく、いわゆるマルチタッチ操作に対応している。マルチタッチ操作は、タッチパネル内の複数の位置に指示具を同時に接触させることによって、１回の位置検出時にタッチパネル内の複数箇所の位置を入力する操作である。シングルタッチ操作は、タッチパネル内の単一の位置に指示具を接触させることによって、１回の位置検出時にタッチパネル内の単一箇所の位置を入力する操作である。このような操作時に用いられる指示具は、たとえば利用者の指である。
【００１３】
特許文献２の情報処理装置において、スクロールバーが表示される範囲内の位置で利用者が指を１本だけタッチパネルに接触させるようなシングルタッチ操作が行われる場合、表示中の画像が予め定めるスクロール量だけスクロール表示される。前述のシングルタッチ操作が複数回繰返されると、所定のスクロール量ずつ画像がスクロール表示される。
【００１４】
また、特許文献２の情報処理装置において、スクロールバーが表示される範囲内の位置で利用者が２本の指をタッチパネルに接触させて動かすようなマルチタッチ操作が行われる場合、マルチタッチ操作時の２本の指の位置の移動量に応じて、単一回のシングルタッチ操作時のスクロール表示のスクロール量が変更される。スクロール量変更後、スクロールバーが表示される範囲内の位置でシングルタッチ操作が実行されると、変更後のスクロール量だけ表示中の画像がスクロール表示される。
【００１５】
特許文献３のスクロール方法は、操作部であるタッチパッドと表示部とを備えた電子機器において用いられる。上記電子機器において、タッチパッドには、スクロール活性化ゾーンが設けられている。表示部による画像のスクロール表示を利用者が指示する場合、タッチパッドのスクロール活性化ゾーンに対して、利用者が指示具である指をタッチダウンさせる。スクロール活性化ゾーンに対するタッチダウンに応答して、スクロール機能が活性化する。活性化後、タッチパッドと指との接触を維持したまま、タッチダウンさせた指を時計まわりまたは反時計まわりに動かすと、時計まわりまたは反時計まわりに予め割当てられたスクロール方向に所定のスクロール量だけ、画像が直線的にスクロール表示される。タッチパッドから指が離れると、スクロール機能が休止される。
【００１６】
また、特許文献３のスクロール方法を実行する電子機器において、タッチパッド上のスクロール活性化ゾーンが複数設けられる状況下では、それぞれのスクロール活性化ゾーンにそれぞれ個別にスクロール量が対応付けられる。いずれか１つのスクロール活性化ゾーンへのタッチダウンによるスクロール機能の活性化後、タッチダウンされた指の回転に応答して、指の回転に割当てられたスクロール方向に、タッチダウンしたスクロール活性化ゾーンに対応付けられたスクロール量だけ、画像がスクロール表示される。
【００１７】
上述したように、画像のスクロール表示が可能な表示部および座標入力可能な操作部を含む従来技術の画像閲覧装置は、操作部の操作面に対するフリック操作などによって実現される単一回のスクロール表示指示用の操作に応答して、操作面と重なる表示部の表示面内の画像を所定のスクロール量だけスクロール表示させる。このため、画像閲覧装置が所定のスクロール量以上に画像をスクロール表示させるべき状況下では、スクロール表示指示用の操作を利用者が複数回繰返す必要がある。
【００１８】
したがって、従来技術の画像閲覧装置は、前述の状況下において、閲覧したい画像全体の表示に時間が掛かり、かつ操作が煩雑になり易いという問題がある。また上述の構成の従来技術の画像閲覧装置は、単一回のスクロール表示指示時のスクロール量が固定されているため、利用者の使い勝手の向上が難しいという問題がある。
【００１９】
また従来技術の画像閲覧装置においては、表示部の表示面と操作部の操作面とが重なっているので、スクロール表示指示時に、スクロール表示指示に用いる指示具が画像表示中の表示面の少なくとも一部を利用者から隠してしまうことがある。このため、従来技術の画像閲覧装置において、画像をスクロール表示させながら該画像全体を利用者に閲覧させることが難しいという問題がある。
【００２０】
また従来技術の画像閲覧装置がスクロール表示指示用のフリック操作のスピードに応じてスクロール量を変化させる構成である場合、所定のスクロール量以上に画像をスクロール表示させるべき状況下において、利用者によってスピードが通常よりも高速に制御されたフリック操作に応答して、画像が一気にスクロール表示される。しかしながら、前述の画像閲覧装置において、フリック操作のスピードを利用者が微調整することが困難なので、単一回のスクロール表示のスクロール量を利用者が望むスクロール量に微調整することが難しいという問題がある。
【００２１】
さらにまた、従来技術の画像閲覧装置がフリック操作による軌跡の開始座標から終了座標までの距離に応じてスクロール量を変化させる構成である場合、所定のスクロール量以上に画像をスクロール表示させるべき状況下において、利用者によって開始座標から終了座標までの軌跡の長さが制御されたフリック操作に応答して、利用者の所望のスクロール量だけ画像がスクロール表示される。しかしながら、前述の画像閲覧装置は、利用者が望む単一回のスクロール表示のスクロール量が長くなるほどフリック操作によって軌跡を長く描く必要があるため、操作が煩雑になり、素早い操作が難しくなる。
【００２２】
特許文献１の情報処理装置は、スクロールバーを用いるモード１と専用領域を用いるモード２との２通りのスクロール表示のモードを有する。特許文献１の情報処理装置は、スクロール表示のモードの切換え時に専用領域のいずれか１区画を利用者が所定時間だけ指示具で押し続ける必要があるため、切換え操作に要する時間が長くなり、操作性がよくない。また特許文献１の情報処理装置では、モード１およびモード２のどちらでも指示具の位置の移動量に応じてスクロール量が定められるため、スクロール量を増加させるほど指示具の位置の移動量を増加させる必要がある。
【００２３】
したがって、特許文献１の情報処理装置は、スクロール量を増加させるほど、操作が煩雑になる。さらにまた特許文献１の情報処理装置では、モード１およびモード２のどちらでも、単一回分の指示具の移動量とスクロール量との関係が固定されていて利用者の所望の量に変更することができないので、使い勝手がよくない。
【００２４】
特許文献２の画像処理装置は、スクロールバーが表示される範囲内の位置へのシングルタッチ操作に応答して、画像をスクロール表示する。かつ、特許文献２の画像処理装置は、シングルタッチ操作で指示される単一回のスクロール表示のスクロール量を、スクロールバーが表示される範囲内の位置へのマルチタッチ操作によって変更する。特許文献２の画像処理装置は、スクロール量の変更を要する度にマルチタッチ操作によるスクロール量の変更処理が必要になるため、スクロール量の変更が頻繁であるほど操作量が増加する。そのため、特許文献２の画像処理装置は、スクロール量の変更を伴うスクロール表示の指示が煩雑になり、操作性がよくないという問題がある。
【００２５】
特許文献３のスクロール方法においては、タッチパッド上に設けられた１以上のスクロール活性化ゾーンのいずれかにタッチダウンした指示具がタッチパッドと指示具との接触を維持したままタッチパッド上で時計まわりまたは反時計まわりに動く動作に応答して、異なる２方向のいずれかの方向へ所定のスクロール量だけ、画像が直線的にスクロール表示される。特許文献３のスクロール方法において、スクロール表示指示時の指示具の動きと画像がスクロール表示される動きとが相似しないので、スクロール表示指示用の操作を利用者がイメージし難いという問題がある。
【００２６】
また特許文献３のスクロール方法が用いられる場合、各スクロール活性化ゾーンとスクロール量との関係がそれぞれ固定されていて利用者の所望のスクロール量に変更することが困難なので、使い勝手の向上が難しいという問題がある。
【００２７】
本発明の目的は、スクロール表示の指示の操作性が向上された画像閲覧装置、画像閲覧方法および画像閲覧プログラムを提供することである。
【課題を解決するための手段】
【００２８】
本発明は、画像を表示する表示面を有する表示部と、
座標を入力するための操作面であって、前記表示面に重なる第１操作領域および前記第１操作領域外の第２操作領域を含む操作面を有する操作部と、
第１操作領域および第２操作領域のいずれか一方の操作領域内の位置から前記第１操作領域および第２操作領域のいずれか他方の操作領域内の位置へ至る軌跡の前記操作面内の入力位置と、前記表示部の表示面に表示される画像のスクロール量との対応関係を示すスクロールパターンを記憶する記憶部と、
前記軌跡を示す複数の座標が前記操作部から入力されたとき、入力された座標が示す軌跡の前記操作面内の入力位置と、前記記憶部内の前記スクロールパターンとに基づいて、画像のスクロール量を算出するスクロール量算出部と、
前記スクロール量算出部が算出したスクロール量に応じて、画像を前記表示部にスクロール表示させるスクロール処理部とを含むことを特徴とする画像閲覧装置である。
【００２９】
また本発明は、前記記憶部が、複数種類の前記スクロールパターンを記憶し、
前記スクロール量算出部が、複数種類の前記スクロールパターンのうちのいずれか１種類のスクロールパターンを選択し、選択された前記スクロールパターンに基づいてスクロール量を算出することを特徴とする。
【００３０】
さらにまた本発明は、前記記憶部が、複数種類の前記スクロールパターンを、装置の動作状態にそれぞれ対応付けて記憶し、
前記スクロール量算出部が、複数種類の前記スクロールパターンのうちのいずれか１種類のスクロールパターンを装置の現在の動作状態に応じて選択し、選択された前記スクロールパターンに基づいてスクロール量を算出することを特徴とする。
【００３１】
また本発明は、前記スクロールパターンと装置の動作状態との対応付けを前記操作部からの入力に応じて決定して、前記記憶部に記憶させる対応付け決定部をさらに含むことを特徴とする。
【００３２】
さらにまた本発明は、前記スクロール算出部が、前記操作部からの入力に応じて前記スクロールパターンを新規作成して、前記記憶部に記憶させることを特徴とする。
【００３３】
また本発明は、前記表示部の表示面が、スクロール表示すべき画像を表示する主表示領域と、主表示領域以外の残余領域である副表示領域とを含み、
前記操作部の操作面の第１操作領域が、前記表示面の主表示領域と重なって配置され、
前記操作部の操作面の第２操作領域が、前記操作面内の前記第１操作領域以外の残余領域内に設けられることを特徴とする。
【００３４】
さらにまた本発明は、前記スクロールパターンが、前記操作面内の装置側端側に設けられる予め定める基準位置よりも前記操作部から入力される軌跡の入力位置が遠ざかるほど画像のスクロール量が増大するパターンであることを特徴とする。
【００３５】
また本発明は、画像を表示する表示面を有する表示部と、座標を入力するための操作面を有する操作部とを備える画像閲覧装置において、画像をスクロール表示するための画像閲覧方法であって、
前記操作部の操作面内に、前記表示面に重なる第１操作領域と、前記第１操作領域外の第２操作領域とが設定され、
前記第１操作領域および第２操作領域のいずれか一方の操作領域内の位置から前記第１操作領域および第２操作領域のいずれか他方の操作領域内の位置へ至る軌跡の前記操作面内の入力位置と前記表示面に表示される画像のスクロール量との対応関係を示すスクロールパターンを予め記憶し、
前記軌跡を示す複数の座標が前記操作部から入力されたとき、入力された座標が示す軌跡の前記操作部内の入力位置と、前記記憶部内の前記スクロールパターンとに基づいて、画像のスクロール量を算出し、
算出されたスクロール量に応じて、前記表示部に画像をスクロール表示させることを含むことを特徴とする画像閲覧方法である。
【００３６】
さらにまた本発明は、画像を表示する表示面を有する表示部と、座標を入力するための操作面を有する操作部とを備えるコンピュータを機能させるための画像閲覧プログラムであって、
前記操作部の操作面内に、前記表示面と重なる第１操作領域と、前記第１操作領域外の第２操作領域とを設定するステップと、
前記第１操作領域および第２操作領域のいずれか一方の操作領域内の位置から前記第１操作領域および第２操作領域のいずれか他方の操作領域内の位置へ至る軌跡の前記操作面内の入力位置と前記表示面に表示される画像のスクロール量との対応関係を示すスクロールパターンを予め記憶するステップと、
前記軌跡を示す複数の座標が前記操作部から入力されたとき、入力された座標が示す軌跡の前記操作部内の入力位置と前記記憶部内の前記スクロールパターンとに基づいて、画像のスクロール量を算出するステップと、
算出されたスクロール量に応じて、前記表示部に画像をスクロール表示させるステップとを含むことを特徴とする画像閲覧プログラムである。
【発明の効果】
【００３７】
本発明によれば、画像閲覧装置は、画像を表示可能な表示面を有する表示部と、操作面内の座標を入力するための操作面を有する操作部とを含む。操作面は、操作面内の表示面と重なる領域に設けられる第１操作領域と、操作面内の第１操作領域外の残余領域内に設けられる第２操作領域とを含む。また本発明の画像閲覧装置は、予め定めるスクロールパターンを、記憶部に予め記憶させている。スクロールパターンは、スクロール表示指示用の軌跡の操作面内における入力位置と表示面に表示される画像の単一回分のスクロール量との対応関係を示す。スクロール表示指示用の軌跡は、第１操作領域および第２操作領域のいずれか一方領域内の位置からいずれか他方領域への位置に至る軌跡である。
【００３８】
スクロール表示が指示されるべき状況下において、操作部の操作面にスクロール表示指示用の軌跡が描かれるように、利用者が操作部を操作する。操作部からの前記軌跡を示す複数の座標の入力に応答して、スクロール量算出部が、入力された座標が示すスクロール表示指示用の軌跡の操作面内の入力位置と前記スクロールパターンとに基づいて、該軌跡の入力位置に応じたスクロール量を算出する。スクロール処理部は、算出された最新のスクロール量だけ、表示部の表示面の画像をスクロール表示させる。この結果、本発明の画像閲覧装置は、第１操作領域および第２操作領域に跨る軌跡が操作面に描かれる度に、該軌跡の操作面内の入力位置に応じてスクロール量を算出し、算出された最新のスクロール量だけ画像をスクロール表示させる。
【００３９】
上述の構成を有する本発明の画像閲覧装置は、スクロール表示の指示とスクロール量の変更との両方を、第１操作領域および第２操作領域に跨る軌跡を描く単一の操作によって同時に指示可能である。したがって、本発明の画像閲覧装置は、マルチタップ操作などを用いたスクロール量の変更のためだけの操作を、スクロール量の変更を要する度にスクロール表示指示と別途に行う必要がない。これによって、本発明の画像閲覧装置は、スクロール量の変更を伴う画像のスクロール表示指示のための操作が従来技術よりも簡略化されるので、従来技術よりも操作性を向上することができる。
【００４０】
また本発明の画像閲覧装置において、スクロール表示指示用の軌跡の入力位置に応じてスクロール量が定められるため、前記軌跡は第１操作領域および第２操作領域に跨る形状であればよい。したがって、スクロールバーまたはスクロール表示用の専用領域に対して操作を行う従来技術よりも本発明の画像閲覧装置のほうが、スクロール表示指示のための操作面内の領域を広く設定可能である。また本発明の画像閲覧装置は、スクロール表示指示用の領域を所定時間押下し続けるような時間の掛かる操作を必要としない。これらによっても、本発明の画像閲覧装置の操作性を、従来技術よりも向上することができる。
【００４１】
さらにまた本発明の画像閲覧装置において、スクロール表示指示用の軌跡の入力位置に応じてスクロール量が定められるため、前記軌跡は第１操作領域および第２操作領域に跨っているだけでよく、軌跡の形状および両端距離ならびに軌跡の描画速度などが自由である。これによって、スクロール表示指示のために円を描くような従来技術に比べて、スクロール表示指示用の軌跡の形状が自由な本発明の画像閲覧装置は、操作の自由度を向上することができる。またこれによって、たとえばいわゆるフリック操作などの自然で簡単な操作で前記スクロール表示指示が実現可能であるため、本発明の画像閲覧装置の操作性が従来技術よりも向上する。さらにまたこれによって、前記軌跡を画像のスクロール表示の方向に沿う形状とするような利用者により分かりやすい操作を実現可能なので、本発明の画像閲覧装置の操作性を従来技術よりも向上することができる。
【００４２】
また本発明によれば、画像閲覧装置において、前記スクロール表示指示用の軌跡の入力位置と画像のスクロール量との対応関係を示すスクロールパターンが、予め複数種類用意されている。第１操作領域および第２操作領域に跨る軌跡が入力された場合、本発明の画像閲覧装置は、複数のスクロールパターンのうちのいずれか１種類と前記軌跡の入力位置とに基づいてスクロール量を算出し、算出されたスクロール量だけ画像をスクロール表示させる。
【００４３】
これによって、本発明の画像閲覧装置は、複数種類のスクロールパターンのいずれか１種類を適宜選んでスクロール量の算出に用いるので、スクロール表示の手法を画像閲覧装置の使用シーンなどに応じて適宜変更可能になる。これによって、本発明の画像閲覧装置の操作性が従来技術よりもさらに向上されるため、本発明の画像閲覧装置の使い勝手をさらに向上することができる。
【００４４】
さらにまた本発明によれば、画像閲覧装置において、前記スクロール表示指示用の軌跡の入力位置とスクロール量との対応関係をそれぞれ示す複数種類のスクロールパターンが用意され、かつ、各スクロールパターンは装置の動作状態に個別に対応付けられている。第１操作領域および第２操作領域に跨る軌跡が入力された場合、本発明の画像閲覧装置は、複数のスクロールパターンのうちから現在の画像閲覧装置の動作状態に応じたいずれか１種類と前記軌跡の入力位置とに基づいてスクロール量を算出し、算出されたスクロール量だけ画像をスクロール表示させる。
【００４５】
これによって、本発明の画像閲覧装置は、複数種類のスクロールパターンのうちから装置の現在の動作状態に最も即したいずれか１種類のスクロールパターンを選んでスクロール量の算出に用いることができるので、スクロール表示の手法を画像閲覧装置の動作状態に応じて適宜変更可能になる。これによって、本発明の画像閲覧装置の操作性が従来技術よりもさらに向上するため、画像閲覧装置の使い勝手をさらに向上することができる。
【００４６】
また本発明によれば、画像閲覧装置は、前記スクロールパターンと画像閲覧装置の動作状態との対応付けを前記操作部からの入力に応じて決定して、前記記憶部に記憶させる。これによって、スクロールパターンと装置動作状態との対応付けを利用者が決定可能になるので、本発明の画像閲覧装置において、利用者の実情や好みに応じたスクロール表示が可能になる。これによって、本発明の画像閲覧装置の操作性が従来技術よりもさらに向上するため、本発明の画像閲覧装置の使い勝手をさらに向上することができる。
【００４７】
さらにまた本発明によれば、画像閲覧装置は、前記軌跡の入力位置と画像のスクロール量との対応関係を操作部からの入力に応じて新規決定して、新規のスクロールパターンとして記憶部に記憶させる。これによって、スクロールパターンそのものを利用者が新規に決定可能になるので、本発明の画像閲覧装置において、利用者の実情や好みにより応じたスクロール操作が可能になる。したがって、本発明の画像閲覧装置の操作性が従来技術よりもさらに向上するため、画像閲覧装置の使い勝手をさらに向上することができる。
【００４８】
また本発明によれば、画像閲覧装置において、表示部の表示面が、スクロール表示すべき画像を表示する主表示領域と、主表示領域以外の残余領域である副表示領域とを含む。また本発明の画像閲覧装置において、前記操作部の操作面の第１操作領域が、前記表示面の主表示領域と重なって配置され、前記操作部の操作面の第２操作領域が、前記操作面内の第１操作領域以外の残余領域内に設けられる。
【００４９】
この結果、本発明の画像閲覧装置において、スクロール表示指示用の軌跡が、表示面内の主表示領域と副表示領域との境界付近で描かれることになる。したがって、本発明の画像閲覧装置において、スクロール表示の指示に際し、スクロール表示指示に用いられる指示具がスクロール表示指示に伴ってスクロール対象の画像を隠す状況が従来技術よりも減少する。このため、スクロール表示指示中に、スクロール対象の画像が見易くなる。これによって、本発明の画像閲覧装置の操作性が従来技術よりもさらに向上するため、画像閲覧装置の使い勝手をさらに向上することができる。
【００５０】
さらにまた本発明によれば、画像閲覧装置において、スクロールパターンは、操作面内の装置側端側に設けられる予め定める基準位置よりもスクロール表示指示用の軌跡の入力位置が遠ざかるほど画像のスクロール量が増大するパターンである。これによって、スクロール表示指示のための操作がより実行し易くなるため、画像閲覧装置がさらに使い易くなる。
【００５１】
たとえば、単一のスクロールパターンにおいて、操作面内の装置側端側の基準位置からスクロール表示指示用の軌跡の入力位置までの距離に比例してスクロール量が増大する。これによって、スクロール表示指示用の軌跡の入力位置を利用者が直感的に制御してスクロール量を調整可能であるため、本発明の画像閲覧装置の操作性が従来技術よりもよくなる。
【００５２】
また、たとえば、スクロールパターンは、操作面内の装置側端側の基準位置からスクロール表示指示用の軌跡の入力位置までの距離が増加するほどスクロール量が増大し、かつ前記距離が増加するほどスクロール量の増加率も上昇する。これによって、スクロール量が多いときよりも少ないときに利用者がスクロール量を細かく調整可能になるため、本発明の画像閲覧装置の操作性を従来技術よりもさらに向上することができる。
【００５３】
また、以上のように本発明によれば、本発明の画像閲覧方法は、画像表示用の表示面を有する表示部と、座標入力用の操作面を有する操作部とを備える画像閲覧装置において、画像をスクロール表示するための方法である。本発明の画像閲覧方法が用いられる場合、操作面内に前述の第１操作領域および第２操作領域が設定され、かつ、前述のスクロールパターンが予め用意される。
【００５４】
利用者による操作部への操作に応答し、第１操作領域および第２操作領域に跨る軌跡を示す複数の座標が操作部から入力されると、入力された座標が示す前記軌跡の操作部内の入力位置と前記スクロールパターンとに基づいて、該軌跡の入力位置に応じたスクロール量が算出される。スクロール量算出後、算出された最新のスクロール量だけ、表示部の表示面の画像がスクロール表示される。これによって、本発明の画像閲覧方法が実行される場合、表示部と操作部とを備える画像閲覧装置において、スクロール表示の操作性を従来技術よりも向上することができる。
【００５５】
さらにまた本発明によれば、本発明の画像閲覧プログラムは、画像表示用の表示面を有する表示部と、座標入力用の操作面を有する操作部とを備えるコンピュータにおいて、画像をスクロール表示するためのプログラムである。本発明の画像閲覧プログラムが実行される場合、最初に、操作面内に前述の第１操作領域および第２操作領域が設定され、かつ、前述のスクロールパターンが予め用意される。
【００５６】
利用者による操作部への操作に応答し、第１操作領域および第２操作領域に跨る軌跡を示す複数の座標が操作部から入力されると、入力された座標が示す前記軌跡の操作部内の入力位置と前記スクロールパターンとに基づいて該軌跡の入力位置に応じたスクロール量を算出するステップと、算出された最新のスクロール量だけ表示部の表示面の画像をスクロール表示させるステップとが実行される。これによって、本発明の画像閲覧プログラムが実行される場合、表示部と操作部とを有するコンピュータにおいて、スクロール表示の操作性を従来技術よりも向上することができる。
【図面の簡単な説明】
【００５７】
【図１】本発明の実施の一形態である画像閲覧装置１を実現する携帯電話端末の構成を示すブロック図である。
【図２】図１の画像閲覧装置１の外観を示す模式図である。
【図３】図１の画像閲覧装置１において、スクロール表示指示の軌跡２１の入力位置とスクロール量との対応関係を示すスクロールパターン２２を説明するための模式図である。
【図４】図１の画像閲覧装置１において、スクロールパターン２２の作成手順を説明するための、スクロールパターン２２の模式図である。
【図５】図１の画像閲覧装置１におけるスクロール表示処理を説明するためのフローチャートである。
【図６】図１の画像閲覧装置１におけるスクロールパターン２２の登録処理を説明するためのフローチャートである。
【発明を実施するための形態】
【００５８】
図１は、本発明の実施の一形態である画像閲覧装置１の構成を示すブロック図である。図２は、図１の画像閲覧装置１の外観の一例を示す図である。図１と図２とを合わせて説明する。本実施形態の画像閲覧装置１は、表示部３、操作部４、記憶部５、スクロール算出部６、およびスクロール処理部７を含む。
【００５９】
表示部３は、画像を表示する表示面１３を有する。操作部４は、座標を入力するための操作面１４を有する。操作部４の操作面１４は、表示面１３と重なる第１操作領域１５と、第１操作領域１５外の第２操作領域１６とを含む。指またはペンなどによって実現される指示具が操作面１４に接触すると、操作面１４内の指示具が接触した位置の座標が、操作部４から次段の機能部に入力される。指示具が操作面１４に接触したまま操作面１４上を移動すると、操作面１４内の指示具が接触しつつ移動した位置の軌跡２１を示す複数の座標が、操作部４から次段の機能部に入力される。
【００６０】
記憶部５は、１パターン以上のスクロールパターン２２を記憶する。スクロールパターン２２は、スクロール表示指示用の軌跡２１の操作面１４内の入力位置と、表示部３の表示面１３に表示される画像の単一回分のスクロール表示時のスクロール量との対応関係を示すパターンである。スクロール表示指示用の軌跡２１は、第１操作領域１５および第２操作領域１６のいずれか一方の操作領域内の位置からいずれか他方の操作領域内の位置へ至る軌跡である。つまり、前記軌跡２１は、第１操作領域１５および第２操作領域１６に跨る形状の軌跡である。
【００６１】
本実施形態の画像閲覧装置１において、表示部３の表示面１３に表示中の画像のスクロール表示を利用者が望む場合、利用者は、第１操作領域１５および第２操作領域１６に跨るスクロール表示指示用の軌跡２１を、操作部４の操作面１４内に指示具を用いて描く。
【００６２】
スクロール量算出部６は、スクロール表示指示用の軌跡２１を示す複数の座標が操作部４から入力されたとき、入力された座標が示す軌跡２１の操作面１４内の入力位置と記憶部５内のスクロールパターン２２とに基づいて、最新のスクロール量を算出する。スクロール処理部７は、スクロール量算出部６が算出した最新のスクロール量だけ、表示部３の表示面１３内の画像をスクロール表示させる。
【００６３】
図２の例において、２つの矢印２１Ａは、スクロール表示指示用の軌跡２１の一例をそれぞれ示す。図２の２つの矢印２１Ｂは、スクロール表示指示用の２つの軌跡２１の相互に異なる入力位置にそれぞれ対応するスクロール量の一例をそれぞれ示す。図２の例では、２つの軌跡２１のうちの左側の軌跡２１よりも右側の軌跡２１のほうが、対応付けられるスクロール量が多い。
【００６４】
また本実施形態の画像閲覧装置１は、好ましくは、対応付け決定部８をさらに含む。対応付け決定部８は、スクロールパターン２２と画像閲覧装置１自身の動作状態との対応付けを操作部４からの入力に応じて決定して、スクロールパターン２２と装置の動作状態との対応関係を記憶部５に記憶させる。また本実施形態の画像閲覧装置１は、好ましくは、スクロール算出部６が、スクロール表示指示用軌跡２１の入力位置と、画像の単一回分のスクロール量との対応関係を、操作部４からの入力に応じて新規に決定する。決定された前記対応関係を示す新規のスクロールパターン２２は、記憶部５に記憶される。
【００６５】
以上の構成によって、本実施形態の画像閲覧装置１は、第１操作領域１５および第２操作領域１６に跨るスクロール表示指示用の軌跡２１が操作部４の操作面１４に描かれる度に、該軌跡２１の操作面１４内の入力位置に応じたスクロール量を算出し、算出された最新のスクロール量分だけ表示部３の表示面１３の画像をスクロール表示させる。したがって、本実施形態の画像閲覧装置１において、所望のスクロール量に応じた入力位置に第１操作領域１５および第２操作領域１６に跨る軌跡２１を描く単一の操作を利用者が行うだけで、スクロール表示の指示とスクロール量の変更との両方が同時に指示可能である。
【００６６】
このように、本実施形態の画像閲覧装置１は、スクロール量の変更を伴う画像のスクロール表示を、簡単な単一の操作によって利用者に一括指示させることができる。したがって、本実施形態の画像閲覧装置１は、マルチタップ操作などを用いたスクロール量の変更のためだけの操作を、スクロール量の変更を要する度にスクロール表示指示と別に行う必要がない。これによって、本実施形態の画像閲覧装置１は、従来技術よりも操作が簡略化されるため、従来技術よりも操作性が向上する。
【００６７】
本実施形態の画像閲覧装置１において、スクロール表示指示用の軌跡２１は、第１操作領域１５および第２操作領域１６に跨っていれば、操作面１４内の何処に描かれてもよい。したがって、スクロールバーまたはスクロール表示用の専用領域に対して操作を行う従来技術よりも本実施形態の画像閲覧装置１のほうが、操作面１４内のスクロール表示指示のための範囲を広く設定可能である。これによって、本実施形態の画像閲覧装置１の操作性が、従来技術よりも向上する。
【００６８】
また本実施形態の画像閲覧装置１において、第１操作領域１５および第２操作領域１６に跨る軌跡２１を所望のスクロール量に応じた位置に描く操作によって、スクロール表示指示がなされる。したがって、本実施形態の画像閲覧装置１は、スクロール表示指示用の領域を所定時間押下し続けるような時間の掛かる操作を必要としない。これによっても、本実施形態の画像閲覧装置１の操作性が、従来技術よりも向上されている。
【００６９】
さらにまた本実施形態の画像閲覧装置１において、スクロール表示指示用の軌跡２１の入力位置に応じてスクロール量が定められる。このため、本実施形態の画像閲覧装置において、スクロール表示指示用の軌跡２１は、第１操作領域１５および第２操作領域１６に跨る形状であればよく、該軌跡２１の詳細が自由である。前記軌跡の詳細とは、軌跡２１の描画速度および軌跡２１の両端の距離、ならびに軌跡の詳細な形状である。これによって、本実施形態の画像閲覧装置において、軌跡２１の描画速度や軌跡２１の両端距離などならびに詳細形状を利用者が詳細に制御する必要がない。したがって、本実施形態の画像閲覧装置１は、たとえばいわゆるフリック操作などの自然で簡単な操作で前記スクロール表示指示を実現することができる。したがって、本実施形態の画像閲覧装置１は、従来技術よりも操作性を向上することができる。
【００７０】
また上述した構成の本実施形態の画像閲覧装置１は、スクロール表示指示用の軌跡２１の詳細が自由であるので、スクロール表示指示のために円を描く操作を行う従来技術よりも、スクロール表示指示の操作の自由度が向上する。たとえば、本実施形態の画像閲覧装置１は、スクロール表示指示用の軌跡２１の詳細形状が自由であるため、該軌跡２１を画像のスクロール表示の方向に沿う形状にすることが可能である。この場合、本実施形態の画像閲覧装置１は、スクロール表示指示である旨が利用者により分かり易い操作をスクロール表示指示とすることが可能なので、従来技術よりも操作性がさらに向上する。
【００７１】
上述した構成である本実施形態の画像閲覧装置１において、スクロール表示の方向は、たとえば、スクロール表示指示用の軌跡２１が第１操作領域１５および第２操作領域１６に跨る方向に応じて設定される。すなわち、前記軌跡２１の描画方向が第１操作領域１５から第２操作領域１６に向かう方向である場合のスクロール表示の方向は、前記軌跡２１の描画方向が第２操作領域１６から第１操作領域１５に向かう方向である場合のスクロール表示の方向と異なる方向に設定される。これによって、本実施形態の画像閲覧装置１は、スクロール表示の指示およびスクロール量の指定とともにスクロール表示の方向も同時に指示可能であるので、操作性がさらに向上する。
【００７２】
本実施形態の画像閲覧装置１において、一例としては、所定の基準軸に沿う相反する２方向のスクロール表示が可能な状況下において、第１操作領域１５から第２操作領域１６に向かう方向の軌跡２１が入力される場合と第２操作領域１６から第１操作領域１５に向かう方向の軌跡２１が入力される場合とでは、スクロール表示の方向が相反する。これによって、たとえば画像を上下方向にスクロール表示可能な構成の本実施形態の画像閲覧装置１において、スクロール表示の指示およびスクロール量の指定とともにスクロール表示の方向も同時に指示可能であるので、操作性がさらに向上する。
【００７３】
また本実施形態の画像閲覧装置１において、また好ましくは、スクロール表示指示用の軌跡２１の描画方向と該軌跡２１入力時の画像のスクロール方向とがほぼ同方向になるように設定される。これによって、画像のスクロール方向を利用者が直感的に把握して指示可能なので、画像閲覧装置１の操作性をさらに向上させることができる。
【００７４】
また本実施形態の画像閲覧装置１は、好ましくは、スクロール表示指示用の軌跡２１の入力位置と画像のスクロール量との対応関係をそれぞれ示す複数種類のスクロールパターン２２を、記憶部５に記憶させている。このような構成の画像閲覧装置１は、第１操作領域１５および第２操作領域１６に跨る軌跡２１を示す複数座標の入力に応答して、複数のスクロールパターン２２のうちのいずれか１種類のスクロールパターン２２と軌跡２１の入力位置とに基づいてスクロール量を算出し、算出された最新のスクロール量分だけ画像をスクロール表示させる。
【００７５】
これによって、本実施形態の画像閲覧装置１は、複数種類のスクロールパターン２２のいずれか１種類を適宜選んでスクロール量の算出に用いることができるので、スクロール表示の手法を画像閲覧装置１の使用シーンなどに応じて適宜変更可能になる。これによって、本実施形態の画像閲覧装置１は、従来技術よりも操作性がさらに向上するため、使い勝手がさらに向上する。
【００７６】
複数種類のスクロールパターン２２を用いる構成の画像閲覧装置１は、より好ましくは、複数種類のスクロールパターン２２を、画像閲覧装置１の動作状態に個別に対応付けて、記憶部５に記憶している。このような構成の画像閲覧装置１は、第１操作領域１５および第２操作領域１６に跨る軌跡２１を示す複数の座標の入力に応答して、複数のスクロールパターン２２のうちから画像閲覧装置１の現在の動作状態に応じたいずれか１種類のパターンを選択し、選択されたスクロールパターン２２と軌跡２１の入力位置とに基づいてスクロール量を算出し、算出された最新のスクロール量分だけ画像をスクロール表示させる。
【００７７】
これによって、本実施形態の画像閲覧装置１は、複数種類のスクロールパターン２２のうちから現在の動作状態に最も即したいずれか１種類のスクロールパターン２２を選んで、スクロール量の算出に用いることができる。したがって、本実施形態の画像閲覧装置１は、スクロール表示の手法を画像閲覧装置１の動作状態に応じて最適化することが可能になる。これによって、本実施形態の画像閲覧装置１は、操作性が従来技術よりもさらに向上するため、使い勝手がさらに向上する。
【００７８】
スクロールパターン２２が装置動作状態に対応付けられる構成の画像閲覧装置１は、好ましくは、スクロールパターン２２と装置動作状態との対応付けを操作部４からの入力に応じて決定する前述の対応付け決定部８をさらに含む。この場合、複数種類のスクロールパターン２２は、対応付け決定部８によって決定された装置動作状態に個別に対応付けられた状態で、記憶部５に記憶される。これによって、スクロールパターン２２と装置動作状態との対応付けを利用者が決定可能になるので、本実施形態の画像閲覧装置１において、利用者の実情や好みに応じたスクロール表示が可能になる。したがって、本実施形態の画像閲覧装置１は、操作性が従来技術よりもさらに向上するため、使い勝手がさらに向上する。
【００７９】
本実施形態の画像閲覧装置１は、さらに好ましくは、スクロール算出部６が、スクロール表示指示用の軌跡２１の入力位置と画像の単一回分のスクロール量との対応関係を示す新規のスクロールパターンを操作部４からの入力に応じて新規決定して、記憶部５に記憶させる。これによって、スクロールパターン２２そのものを利用者が新規に決定可能になるので、本実施形態の画像閲覧装置１において、利用者の実情や好みにより応じたスクロール操作が可能になる。したがって、本実施形態の画像閲覧装置１は、操作性が従来技術よりもさらに向上するため、使い勝手をさらに向上することができる。
【００８０】
本実施形態の画像閲覧装置１において、さらに好ましくは、表示部３の表示面１３が、スクロール表示すべき画像を表示する主表示領域１７と、主表示領域１７以外の残余領域である副表示領域１８とを含む。このような構成の画像閲覧装置１においては、操作部４の操作面１４の第１操作領域１５が、表示面１３の主表示領域１７と重なって配置され、かつ、操作部４の操作面１４の第２操作領域１６が、表示面１３内の副表示領域１８と重なって配置される。
【００８１】
この結果、本実施形態の画像閲覧装置１において、スクロール表示指示用の軌跡２１が、図２の矢印２１で示すように、表示面１３内の主表示領域１７と副表示領域１８との境界付近で描かれることになる。すなわち、スクロールすべき画像を表示する主表示領域１７の縁の部分で、スクロール表示指示のための操作が行われる。したがって、本実施形態の画像閲覧装置１において、スクロール表示の指示に際し、スクロール表示指示用の軌跡２１の描画に用いられる指示具が軌跡２１の描画に伴って表示面１３の画像を隠す状況が、従来技術よりも減少する。これによって、スクロール対象の画像がスクロール表示指示中も見易くなるので、本実施形態の画像閲覧装置１の使い勝手がさらに向上する。
【００８２】
本実施形態の画像閲覧装置１において、さらにまた好ましくは、スクロールパターン２２は、予め定める基準位置２３よりも軌跡２１の入力位置が遠ざかるほど画像のスクロール量が増大するパターンである。基準位置２３は、操作面１４内において、画像閲覧装置１の筐体側端に近い側に設けられる。このような構成のスクロールパターン２２であれば、スクロール表示指示用の軌跡２１の入力位置によるスクロール量の調整が容易になるため、画像閲覧装置１がより使い易くなる。
【００８３】
たとえば、スクロールパターン２２は、操作面１４内の装置側端側の基準位置２３からスクロール表示指示用の軌跡２１の入力位置までの距離に比例して、スクロール量が増大する。これによって、利用者が直感的にスクロール表示指示用の軌跡２１の入力位置を制御してスクロール量を調整可能であるため、画像閲覧装置１の操作性が向上する。またたとえば、スクロールパターン２２は、操作面１４内の装置側端側の基準位置２３からスクロール表示指示用の軌跡２１の入力位置までの距離が増加するほどスクロール量が増大し、かつ前記距離が増加するほどスクロール量の増加率も上昇する。これによって、スクロール量が多いときよりも少ないときにスクロール量を細かく調整可能になるため、画像閲覧装置１の操作性がさらに向上される。
【００８４】
前述したスクロール処理部７およびスクロール算出部６は、それぞれ独立した部品によって実現されてもよく、または各機能部の動作を実現するためのプログラムを中央演算処理装置に実行させることによって機能的に実現されてもよい。同様に、対応付け決定部８もまた、独立した部品によって実現されてもよく、機能部の動作を実現するためのプログラムを中央演算処理装置に実行させることによって機能的に実現されてもよい。
【００８５】
上述した構成の画像のスクロール表示手法は、画像表示用の表示面１３を有する表示部３と座標入力用の操作面１４を有する操作部４とを含む汎用の画像閲覧装置において用いられてもよい。すなわち、本実施形態の画像閲覧方法が用いられる場合、表示面１３と重なる第１操作領域１５および第１操作領域１５以外の第２操作領域１６が操作面１４内に予め設定され、かつ、前述のスクロールパターン２２が予め用意される。
【００８６】
利用者による操作部４への操作に応答し、第１操作領域１５および第２操作領域１６に跨る軌跡２１を示す複数の座標が操作部４から入力されると、入力された座標が示す前記軌跡２１の操作面１４内の入力位置と前記スクロールパターン２２とに基づいて、該軌跡２１の入力位置に応じたスクロール量が算出される。スクロール量算出後、表示部３の表示面１３の画像が、算出された最新のスクロール量だけスクロール表示される。
【００８７】
これによって、本発明の画像閲覧方法が実行される場合、表示部３と操作部４とを有する汎用の画像閲覧装置を用いて本実施形態の画像閲覧装置１を容易に実現可能であり、さらに画像閲覧方法実行時のスクロール表示の操作性を、従来技術よりも向上することができる。
【００８８】
また上述した構成の画像のスクロール表示手法は、画像表示用の表示面１３を有する表示部３と座標入力用の操作面１４を有する操作部４とを含むコンピュータにおいて実行されてもよい。すなわち、本実施形態の画像閲覧プログラムが実行される場合、前述の第１操作領域１５および第２操作領域１６が操作面１４内に予め設定され、かつ、前述のスクロールパターン２２が予め用意される。
【００８９】
利用者による操作部４への操作に応答し、第１操作領域１５および第２操作領域１６に跨る軌跡を示す複数の座標が操作部４から入力されると、入力された座標が示す前記軌跡２１の操作面１４内の入力位置と、前記スクロールパターン２２とに基づいて該軌跡２１の入力位置に応じたスクロール量を算出するステップと、算出された最新のスクロール量だけ表示部３の表示面１３の画像をスクロール表示させるステップとが実行される。
【００９０】
これによって、本発明の画像閲覧プログラムが実行される場合、表示部３と操作部４とを有するコンピュータを用いて本実施形態の画像閲覧装置１を容易に実現可能であり、さらに画像閲覧プログラム実行時のスクロール表示の操作性を、従来技術よりも向上することができる。
【００９１】
本実施形態として、画像閲覧装置１は、携帯電話端末によって実現される。携帯電話端末によって実現される画像閲覧装置１は、前述の構成の他に、アンテナ３１、無線部３２、マイクロフォン３３、スピーカ３４、タイマ３５、充電池３６、および電話機制御部３７をさらに含む。本実施形態では、表示部３が液晶表示素子によって実現され、操作部４がタッチパネル素子によって実現される。また表示部３と操作部４とが一体化され、操作表示素子を構成している。表示部３の表示面１３および操作部４の操作面１４は、どちらも平坦面状である。
【００９２】
アンテナ３１は、携帯電話通信網の基地局と画像閲覧装置１との間の無線通信のために、無線電波を送信および受信することができるように構成されている。無線部３２は、前記無線通信のための各種の信号処理を行う。マイクロフォン３３は、前記無線通信における通話のための音声の入力に用いられる。スピーカ３４は、前記無線通信における通話のための音声を放音する。またスピーカ３４は、画像閲覧装置１における各種の音声ガイダンスの放音にも用いられる。タイマ３５は、画像閲覧装置１内の各種処理において、計時に用いられる。充電池３６は、画像閲覧装置１内の各部品に駆動電力を供給する。
【００９３】
電話機制御部３７は、携帯電話端末によって実現される画像閲覧装置１全体を制御して、携帯電話通信網を介した通話を実行することができる。また電話機制御部３７は、たとえば、各種のアプリケーションソフトウェアのプログラムを実行して、携帯電話端末の各種機能を実現する。アプリケーションソフトウェアは、たとえば、インターネットの閲覧機能、メールの作成閲覧機能、および電子書籍の閲覧機能を含む。インターネットの閲覧機能、メールの作成閲覧機能、および電子書籍の閲覧機能などは、たとえば、画像のスクロール表示機能を含む。
【００９４】
電話機制御部３７は、たとえば、中央演算処理装置によって実現され、複数のタスクが同時に動作可能なマルチタスク構成になっている。電話機制御部３７は、前述したスクロール算出部６、スクロール処理部７、および対応付け決定部８の少なくとも１つをプログラム実行によって機能的に実現してもよい。図１の例では、電話機制御部３７が、対応付け決定部８を機能的に実現している。
【００９５】
本実施形態の画像閲覧装置１は、図２の例では、第２操作領域１６が副表示領域１８に重ねられている。また図２の例では、副表示領域１８が、画像閲覧装置１に対する各種指示に関するアイコンなどを表示するための領域になっている。前記アイコンは、メニューボタン、ホームボタン、戻るボタン、電池容量の状態の表示アイコン、およびその他の設定状態の表示用アイコンを含む。
【００９６】
また本実施形態の具体例では、スクロール表示指示は、第１操作領域１５と第２操作領域１６とに跨るフリック操作によって実現される。フリック操作とは、指示具を利用者が操作面１４に接触させつつ操作面１４上で滑らせる操作である。指示具は、たとえば、利用者の指またはペン状の部材によって実現される。
【００９７】
本実施形態の画像閲覧装置１は、図２の例において、矩形の第１操作領域１５と矩形の第２操作領域１６とが隣接している。前述したように、本実施形態の画像閲覧装置１において、スクロール表示指示に際し、第１操作領域１５から第２操作領域１６に跨る軌跡２１が操作面１４内に描かれる。図２の例のように、第１操作領域１５と第２操作領域１６とが隣接する構成であれば、第１操作領域１５と第２操作領域１６との境界線を挟んで第１操作領域１５および第２操作領域１６に跨る範囲であるスクロール操作範囲２４内に、スクロール表示指示用軌跡２１が描かれることになる。
【００９８】
第１操作領域１５と第２操作領域１６とが隣接する構成の画像閲覧装置１において、スクロールパターン２２は、図２に示すスクロール操作範囲２４内の位置に対する単一回分のスクロール量の変化を表す。スクロール操作範囲２４は、たとえば、第１操作領域１５と第２操作領域１６との境界線を挟んで第１操作領域１５と第２操作領域とに跨る範囲であって、スクロール表示指示用の軌跡２１が描画されるべき範囲である。たとえば、スクロールパターン２２は、第１操作領域１５と第２操作領域１６との境界線に平行な軸をＸ軸とし、単一回分のスクロール表示のスクロール量をＹ軸とするグラフで表される。単一回分のスクロール表示は、スクロール表示指示用の軌跡２１の１回分の入力に応答する。
【００９９】
また上述の構成の画像閲覧装置１において、たとえば、スクロールパターン２２の基準位置２３は、第１操作領域１５と第２操作領域１６との境界上に設定される。またたとえば、スクロール表示指示用の軌跡２１の入力位置の指標として、基準位置２３から該入力位置までの距離のうちの第１操作領域１５と第２操作領域１６との境界に平行なＸ軸方向の成分が用いられる。これらの場合、スクロール表示指示用の軌跡２１の操作面１４内の入力位置は、たとえば、該軌跡２１上のいずれか１箇所の位置座標のＸ軸方向成分によって実現されてもよく、該軌跡２１上の複数個所の位置座標のＸ軸方向成分の平均値などによって実現されてもよい。
【０１００】
図３(Ａ）〜図３（Ｅ）は、スクロールパターン２２の一例を示す模式図である。図３の例では、図２の構成の画像閲覧装置１において、矩形状の主表示領域１７の前述のＸ軸に直交するＹ軸方向に画像がスクロール表示される状況下におけるスクロールパターン２２を示す。
【０１０１】
図３（Ａ）および図３（Ｂ）のスクロールパターン２２は、操作面１４内の装置側端片側の基準位置２３からスクロール表示指示用の軌跡２１の入力位置までの距離のＸ軸方向成分に比例して、スクロール量が増大する。好ましくは、利用者が画像閲覧装置１に対するスクロール表示指示を行う手に近い側端片側に基準位置２３が設けられ、入力位置が基準位置２３から遠ざかるほどスクロール量が線形的に増大する。これらによって、スクロール表示指示用軌跡２１の入力位置を利用者が直感的に制御してスクロール量を調整可能であるため、画像閲覧装置１の操作性がよくなる。図３（Ａ）および図３（Ｂ）の例では、入力位置に対するスクロール量のグラフの傾きが、常に一定である。
【０１０２】
たとえば、画像閲覧装置１に対する各種操作を利用者が主に左手で行うような使い方がなされる状況下であれば、図３（Ａ）に示すような、操作面１４内の装置側端左側に基準位置２３が設けられて入力位置が装置側端右側に近づくほどスクロール量が線形的に増大するスクロールパターン２２が選ばれると、スクロール表示時の画像閲覧装置１が使い易くなる。またたとえば、画像閲覧装置１に対して利用者が主に右手で各種操作を行う状況下であれば、図３（Ｂ）に示すような、操作面１４内の装置側端右側に基準位置２３が設けられて入力位置が装置側端左側に近づくほどスクロール量が線形的に増大するスクロールパターン２２が選ばれると、スクロール表示時の画像閲覧装置１が使い易くなる。
【０１０３】
図３（Ｃ）および図３（Ｄ）のスクロールパターン２２は、操作面１４内の装置側端片側の基準位置２３からスクロール表示指示の軌跡２１の入力位置までの距離のＸ軸方向成分が増加するほどスクロール量が増大し、かつ該Ｘ軸方向成分が増加するほどスクロール量の増加率も上昇する。好ましくは、利用者が画像閲覧装置１に対するスクロール表示指示を行う手に近い側端片側に基準位置２３が設けられ、入力位置が基準位置２３から遠ざかるほどスクロール量および増加率が増大する。これによって、スクロール量が多いときよりも少ないときにスクロール量を細かく調整可能になるため、画像閲覧装置１の操作性がさらに向上される。図３（Ｃ）および図３（Ｄ）の例では、入力位置に対するスクロール量のグラフの傾きが、基準位置２３から遠ざかるほど大きくなる。
【０１０４】
たとえば、画像閲覧装置１に対して利用者が主に左手で各種操作を行う状況下であれば、図３（Ｃ）に示すような、基準位置２３が装置側端左側に設けられて入力位置が装置側端右側に近づくほどスクロール量および増加率が増大するスクロールパターン２２が選ばれると、スクロール表示時の画像閲覧装置１がより使い易くなる。またたとえば、画像閲覧装置１に対して利用者が主に右手で各種操作を行う状況下であれば、図３（Ｄ）に示すような、基準位置２３が装置側端右側に設けられて入力位置が装置側端左側に近づくほどスクロール量および増加率が増加するスクロールパターン２２が選ばれると、スクロール表示時の画像閲覧装置１がより使い易くなる。
【０１０５】
図３（Ｅ）のスクロールパターン２２は、操作面１４内の装置側端両側の基準位置２３からスクロール表示指示の軌跡２１の入力位置までの距離のＸ軸方向成分が増加するほどスクロール量が増大する。好ましくは、操作面１４内の側端両側に基準位置２３がそれぞれ設けられ、操作面１４のＸ軸方向中央部と各基準位置２３との間の範囲内において、入力位置が各基準位置２３から遠ざかるほどスクロール量が増大する。図３（Ｅ）の例では、前記範囲内において、入力位置に対するスクロール量のグラフの傾きが、各基準位置２３から遠ざかるほど大きくなる。
【０１０６】
たとえば、利用者が画像閲覧装置１を両手で操作する状況下では、図３（Ｅ）に示すような、基準位置２３が装置側端両側にそれぞれ設けられていて、入力位置が操作面１４のＸ軸方向中央部に近づくほどスクロール量が増大する。これによって、画像閲覧装置１を利用者が右手でも左手でもほぼ同程度に操作する状況下であってもスクロール量を適宜調整可能になるため、画像閲覧装置１の操作性がさらに向上される。
【０１０７】
図３（Ｅ）のような操作面１４内の装置側端両側にそれぞれ基準位置２３が設けられる構成のスクロールパターン２２は、また好ましくは、操作面１４のＸ軸方向中央部と各基準位置２３との間の範囲内において、入力位置が各基準位置２３から遠ざかるほどスクロール量および増加率の両方が増大する構成であってもよい。これによって、画像閲覧装置１を利用者が右手および左手のどちらで操作する状況下でもスクロール量をより詳細に調整可能になるため、画像閲覧装置１の操作性がさらに向上される。
【０１０８】
本実施形態の画像閲覧装置１は、前述したように、好ましくは、画像閲覧装置１の動作状態に応じてスクロール量算出に用いるスクロールパターン２２を変更する。具体例としては、画像閲覧装置１は、実行するアプリケーションソフトウェアの種類に応じて、スクロール量算出に用いるスクロールパターン２２を変更する。たとえば、画像閲覧装置１は、メール閲覧時には図２（Ａ）のスクロールパターン２２をスクロール量算出に用い、電子書籍の閲覧時には図２（Ｃ）のスクロールパターン２２を用いる。このように、アプリケーションソフトウェア実行時の利用者の画像閲覧装置１の使い方に応じてスクロールパターン２２が選択される場合、利用者の様々な使用シーンに応じたスクロール表示指示の最適化が可能なので、画像閲覧装置１は使い勝手を向上させることができる。
【０１０９】
図３の例では、スクロール表示指示用軌跡２１の入力位置の指標として、所定の基準位置２３から該入力位置までの距離のうちの主表示領域１７の短辺に沿うＸ軸方向の成分が用いられる。これに限らず、前記軌跡２１の入力位置の指標は、主表示領域１７のＸ軸方向およびＹ軸方向の両方を用いてもよく、他の指標を用いてもよい。
【０１１０】
図４は、本実施形態の画像閲覧装置１において、スクロールパターン２２の作成手順を説明するための模式図である。図４の例では、図２の構成の画像閲覧装置１において、Ｘ軸方向と直交するＹ軸方向に画像がスクロール表示される状況下におけるスクロールパターン２２を示す。
【０１１１】
スクロールパターン２２の作成に先立ち、予め、スクロール表示指示用の軌跡２１が入力可能な範囲２４が、複数の区間に分割されている。図４の例では、第１操作領域１５と第２操作領域１６との境界線を挟んで第１操作領域１５および第２操作領域１６に跨るスクロール操作範囲２４が、境界線沿いに８つの区間に分割されている。
【０１１２】
スクロールパターン２２の作成時において、スクロール操作範囲２４の各分割区間毎に、各分割区間内の１箇所の位置に対するスクロール量を、利用者が操作部４から入力する。スクロール量の入力に応答して、スクロール算出部６が、入力された複数箇所分のスクロール量に基づいて残余の位置のスクロール量を算出して補間する。この結果得られるスクロールパターン２２は、電話機制御部３７を通して記憶部５に送られ、記憶部５に記憶される。前記残余の位置のスクロール量の算出は、たとえば、図４に示すように、離散した複数箇所に対するスクロール量をそれぞれグラフ上にプロットした点２８および近傍を通る近似曲線を算出するような補間手法を用いる。
【０１１３】
一例としては、記憶部５は、単一のスクロールパターン２２のデータとして、スクロール操作内の単一箇所の位置に対するスクロール量を離散した複数箇所の分だけ記憶している。スクロール算出部６は、スクロール量の算出時に、所望のスクロールパターン２２に対応する離散した複数個所分の単一箇所に対するスクロール量のデータを読出し、該読出したデータを補間処理することによって、該所望のスクロールパターン２２を得る。
【０１１４】
図５は、本実施形態の画像閲覧装置１におけるスクロール表示処理を説明するためのフローチャートである。スクロール表示が可能な状態が始まると、ステップＳ０からステップＳ１に進む。
【０１１５】
ステップＳ１において、電話機制御部３７が、操作部４からの信号に応答して、スクロール表示指示の有無を検知する。利用者が第２操作領域１６から第１操作領域１５に向かって利用者がフリック操作した場合、または第１操作領域１５から第２操作領域１６に向かって利用者がフリック操作した場合、スクロール表示指示があると判断される。ステップＳ１の検知処理は、たとえば、操作部４からの信号が電話機制御部３７に与えられる度に実行される。スクロール表示指示がなされたと判断されると、ステップＳ１からステップＳ２に進む。
【０１１６】
ステップＳ２において、電話機制御部３７は、操作部４からの信号に応答して、フリック操作による軌跡２１の入力位置と該軌跡２１の描画方向とを取得する。軌跡２１の描画方向とは、軌跡２１の開始端から終了端へ至る方向であって、第２操作領域１６から第１操作領域１５に向かってフリック操作された場合と第１操作領域１５から第２操作領域１６に向かってフリック操作された場合のどちらであるかを示す。電話機制御部３７は、フリック操作による軌跡２１の入力位置および描画方向を示すデータと、現在実行中のアプリケーションソフトウェアの種類を示すデータとを、スクロール算出部６に送る。
【０１１７】
ステップＳ３において、スクロール算出部６は、現在実行中のアプリケーションソフトウェアに対応付けられるスクロールパターン２２を記憶部５から読出し、読出したスクロールパターン２２に基づいて、フリック操作による軌跡２１の入力位置に対応するスクロール量を算出する。またスクロール量算出部６は、スクロール方向を、フリック操作の軌跡２１の描画方向に応じて定める。算出されたスクロール量およびスクロール方向は、電話機制御部３７に送られる。
【０１１８】
ステップＳ４において、電話機制御部３７は、スクロール算出部６からの最新のスクロール量およびスクロール方向を、スクロール処理部７に送る。スクロール処理部７は、与えられた最新のスクロール量およびスクロール方向に基づいて、最新のスクロール量およびスクロール方向に応じた画像のデータを連続して表示部３に送る。この結果、表示部３は、最新のスクロール方向に最新のスクロール量分だけ画像をスクロール表示させる。スクロール処理終了後、ステップＳ５で処理を終了する。処理終了後、スクロール表示可能な状態が続けば、再び図５の処理が実行される。
【０１１９】
これによって、本実施形態の画像閲覧装置１は、操作部４から入力されるスクロール表示指示用の軌跡２１の入力位置および描画方向に応答して、利用者の所望のスクロール方向に所望のスクロール量だけ、画像をスクロール表示することができる。したがって、スクロール表示指示が容易であってスクロール表示中の画像も見易いので、画像閲覧装置１の操作性が向上し、使い勝手がよくなる。
【０１２０】
図６は、本実施形態の画像閲覧装置１におけるスクロールパターン２２の登録処理を説明するためのフローチャートである。スクロールパターン２２の登録処理は、スクロールパターン２２と装置動作状態の対応付け処理およびスクロールパターン２２の新規作成処理を含む。図６の登録処理において、電話機制御部３７は、対応付け決定部８として機能する。
【０１２１】
画像閲覧装置１において、操作部４からの入力が可能な状態になれば、ステップＳ１０からステップＳ１１に進む。本実施形態の画像閲覧装置１は、操作部４からの信号を電話機制御部３７が常時監視している。
【０１２２】
ステップＳ１１において、電話機制御部３７である対応付け決定部８が、操作部４からの信号に応答して、予め定めるスクロールパターン２２の登録操作の有無を検知する。操作部４内のスクロールパターン２２の登録操作に予め対応付けられた１以上の位置の座標が入力された場合、スクロールパターン２２の登録操作が実行されたと判断される。ステップＳ１１の検知処理は、たとえば、操作部４からの信号が電話機制御部３７に与えられる度に実行される。スクロールパターン２２の登録操作が実行されたと判断されると、ステップＳ１１からステップＳ１２に進む。
【０１２３】
ステップＳ１２において、電話機制御部３７である対応付け決定部８は、スクロールパターン２２と装置動作状態との現在の対応関係を、記憶部５から読出して表示部３の主表示領域１７に表示させる。スクロールパターン２２と装置動作状態との現在の対応関係は、具体的には、画像閲覧装置１が実行可能な各種アプリケーションソフトウェアとスクロールパターン２２との対応関係によって実現される。また表示部３は、現在の前記対応関係に掛かる装置動作状態およびスクロールパターン２２だけでなく、スクロールパターン２２の対応付けが可能な全ての装置動作状態、および記憶部５に記憶される既存の全てのスクロールパターン２２が、選択可能になるように表示されていてもよい。
【０１２４】
スクロールパターンと装置動作状態との対応関係の表示後、電話機制御部３７である対応付け決定部８は、ステップＳ１３において、操作部４を監視して、利用者の入力を待つ。利用者は、表示部３に表示されたスクロールパターン２２と装置動作状態との現在の対応関係を確認して、スクロールパターン２２を変更したいアプリケーションソフトウェアを選択し、選択したアプリケーションソフトウェアを操作部４の操作によって指定する。変更するアプリケーションソフトウェアを選択すると、次のステップＳ１４へ進み、電話機制御部３７は、操作部４からの入力に応答し、対応付けの変更対象の装置動作状態として指定されたアプリケーションソフトウェアを取得する。ステップＳ１３で、変更するアプリケーションソフトウェアが選択されなければ、変更するアプリケーションソフトウェアが選択されるまでステップＳ１３を繰返す。
【０１２５】
変更対象の装置動作状態の取得後、電話機制御部３７である対応付け決定部８は、操作部４を監視して、利用者の入力を待つ。利用者は、表示部３に表示された既存のスクロールパターン２２の中から、変更対象の装置動作状態に新たに対応付けるべきいずれか１つのスクロールパターン２２を選択し、選択したスクロールパターン２２を操作部４の操作によって指定する。または、スクロールパターン２２の新規作成を、操作部４の操作によって指示する。
【０１２６】
ステップＳ１４において、電話機制御部３７である対応付け決定部８は、操作部４からの入力に応答し、既存のスクロールパターン２２のいずれかが選択されたか否かを判断する。操作部４からの入力が既存のスクロールパターン２２の選択であると判断された場合、電話機制御部３７は、ステップＳ１４において、操作部４からの入力に応答し、対応付けの変更対象のスクロールパターン２２を取得する。
【０１２７】
操作部４からの入力が既存のスクロールパターン２２の選択ではないと判断される場合、ステップＳ１４からステップＳ１５に進む。ステップＳ１５において、電話機制御部３７である対応付け決定部８は、スクロールパターン２２の新規作成が指示されたか否かを判断する。操作部４からの入力がスクロールパターン２２の新規作成の指示では無い場合、ステップＳ１５からステップＳ１４に戻り、次の利用者による操作を待つ。
【０１２８】
ステップＳ１４で既存のスクロールパターン２２が選択された場合、ステップＳ１４からステップＳ１８に進む。ステップＳ１８において、電話機制御部３７は、ステップＳ１３で選択された装置動作状態にステップＳ１４で選択された既存のスクロールパターン２２を新たに対応付け、記憶部５に記憶されているスクロールパターン２２と装置動作状態との対応付けを示すデータを最新の状態に更新する。データ更新後、ステップＳ１９で図６のフローチャートの処理が終了する。
【０１２９】
ステップＳ１３において、対応付けの変更対象の装置動作状態として、複数のアプリケーションソフトウェアが選択されてもよく、全てのアプリケーションソフトウェアが指定されてもよい。複数のアプリケーションソフトウェアがステップＳ１３で選択される場合、ステップＳ１４において、単一のスクロールパターン２２が選択されて複数のアプリケーションソフトウェアに対応付けられてもよく、複数のアプリケーションソフトウェアに個々に対応付けるべきスクロールパターン２２が順次選択されてもよく、これらの選択手順が組み合わせられてもよい。
【０１３０】
ステップＳ１５でスクロールパターン２２の新規作成が指示される場合、ステップＳ１５からステップＳ１６に進む。ステップＳ１６において、電話機制御部３７である対応付け決定部８は、スクロールパターン２２の新規作成のための案内画像を、表示部３の主表示領域１７に表示させる。たとえば、図４に示すように、前記案内画像は、スクロール操作範囲２４が複数区間に区分された状態で各区間内の単独位置に対応するスクロール量を利用者が操作部４を用いて入力することができるように、操作を案内するためのものである。利用者による操作部４の操作に応答し、操作部４からの入力によってスクロール操作範囲２４内の複数区間内の位置に対するスクロール量が得られるとは、該スクロール量が電話機制御部３７からスクロール算出部６に送られる。
【０１３１】
ステップＳ１７において、スクロール量算出部６は、ステップＳ１６で得られているスクロール操作範囲２４内の複数区間内の位置に対するスクロール量に基づいて、スクロール操作範囲２４内のスクロール量取得済の位置以外の残余の位置に対するスクロール量を、図４の補間処理によって算出する。この結果、スクロールパターン２２が新規作成される。
【０１３２】
ステップＳ１７でスクロールパターン２２が新規作成されている場合、ステップＳ１８において、電話機制御部３７である対応付け決定部８は、ステップＳ１３で選択された装置動作状態にステップＳ１７で選択された新規作成されたスクロールパターン２２を新たに対応付け、記憶部５に記憶されるスクロールパターン２２と装置動作状態との対応付けを示すデータを最新の状態に更新する。また新規作成されたスクロールパターン２２そのものも、記憶部５に記憶される。ステップＳ１６〜Ｓ１７で新規作成されたスクロールパターン２２は、たとえば、図６の処理が次に実行される際に、既存のスクロールパターン２２として使われてもよい。データ更新後、ステップＳ１９で図６のフローチャートの処理が終了する。
【０１３３】
以上の処理によって、本実施形態の画像閲覧装置１は、スクロールパターンと装置動作状態との新規の対応付け、および新規スクロールパターンの作成を実行することができる。これによって、本実施形態の画像閲覧装置１の操作性をさらに向上させ、使い勝手をさらに向上させることができる。
【０１３４】
本実施形態の画像閲覧装置１および画像閲覧方法は、本実施形態の構成要素の最良の実施形態の１つである。本実施形態の構成要素の詳細構成は、上述の作用効果が発揮可能な構成であれば、上述した構成に限らず、他の様々な構成が用いられてもよい。たとえば、上述の構成の表示部３および操作部４を含む本実施形態の画像閲覧装置１は、携帯電話端末に応用されるだけでなく、モバイル用パーソナルコンピュータまたはＰＤＡ（Personal  Digital  Assistants）端末に応用されてもよい。
【符号の説明】
【０１３５】
１  画像閲覧装置
３  表示部
４  操作部
５  記憶部
６  スクロール量算出部
７  スクロール処理部
８  対応付け決定部
１３  表示部の表示面
１４  操作部の操作面
１５  操作部の操作面の第１操作領域
１６  操作部の操作面の第２操作領域
１７  表示部の表示面の主操作領域
１８  表示部の表示面の副操作領域
２１  スクロール表示指示用の軌跡
２２  スクロールパターン
２３  スクロールパターンの基準位置
２４  スクロール操作範囲
３１  アンテナ
３２  無線部
３３  マイクロフォン
３４  スピーカ
３５  タイマ
３６  充電池
３７  電話機制御部
【図１】
2013190944.tif 000003
【図２】
2013190944.tif 000004
【図３】
2013190944.tif 000005
【図４】
2013190944.tif 000006
【図５】
2013190944.tif 000007
【図６】
2013190944.tif 000008